(57)【特許請求の範囲】
【請求項１】
高周波を出力するフレキシブル状のアンテナ部に高周波の出力制御をする回路部を凸状に設け、アンテナ部と凸状の回路部とを覆うように可撓性を有する材質で形成した内部体を重ね、これらのアンテナ部と回路部と内部体を、可撓性を有する材料で形成した外皮で被覆して一体化して成ることを特徴とする高周波治療器。
【請求項２】
内部体を少なくともその一部を他の部材に対して固定されないフリーな状態に形成して成ることを特徴とする請求項１に記載の高周波治療器。
【請求項３】
内部体に空洞部を設けて成ることを特徴とする請求項１又は２に記載の高周波治療器。
【請求項４】
内部体の少なくとも一部を筋状のリブで形成して成ることを特徴とする請求項１乃至３のいずれかに記載の高周波治療器。
【請求項５】
腰こりの治療部位である第２腰椎から第４腰椎の脊柱起立筋の細帯に合わせた細帯状に全体形状を形成して成ることを特徴とする請求項１乃至４のいずれかに記載の高周波治療器。
【請求項６】
くびれ部を設けた外形に形成して成ることを特徴とする請求項５に記載の高周波治療器。
【請求項７】
背骨に対して左右対称に分布する脊柱起立筋の間隔に合わせて一対のアンテナ部を設けて成ることを特徴とする請求項１乃至４のいずれかに記載の高周波治療器。
【請求項８】
一対のアンテナ部間の中央位置において外面に、背骨位置合わせ用の突部を設けて成ることを特徴とする請求項７に記載の高周波治療器。
【請求項９】
背骨に対して左右対称に分布する脊柱起立筋の間隔に合わせて位置付けされた一対の収納部を腰用装着ベルトに設け、請求項５に記載の高周波治療器を各収納部に収納して成ることを特徴とする高周波治療具。
【請求項１０】
背骨に対して左右対称に分布する脊柱起立筋の間隔に合わせて一対の挿着部を装着補助具に設け、請求項５に記載の高周波治療器を各挿着部に抜き出し自在に挿着して成ることを特徴とする高周波治療具。
【請求項１１】
一対の挿着部間の中央位置において装着補助具の外面に、背骨位置合わせ用の突部を設けて成ることを特徴とする請求項１０に記載の高周波治療具。
【請求項１２】
請求項５に記載の一対の高周波治療器を、背骨に対して左右対称に分布する脊柱起立筋の間隔に合わせて連結具で連結して成ることを特徴とする高周波治療具。
【請求項１３】
連結具を高周波治療器に着脱自在にして成ることを特徴とする請求項１２に記載の高周波治療具。
【請求項１４】
連結具を伸縮自在に形成して成ることを特徴とする請求項１２又は１３に記載の高周波治療具。
【発明の詳細な説明】
【０００１】
【発明の属する技術分野】
本発明は、高周波により治療を行なうようにした高周波治療器に関するものである。
【０００２】
【従来の技術】
高周波により治療を行なう高周波治療器として、高周波を出力するアンテナ部１と高周波の出力制御をする回路部２を一体構造にした一体型のものが提供されている。図１９はこのような一体型の高周波治療器Ａの従来の一例を示すものであり、フレキシブルプリント配線板などでフレキシブルに形成されるアンテナ部１の上面に回路部２を一体に設け、これを上下の外皮４ａ，４ｂで覆うことによって形成してある。
【０００３】
【発明が解決しようとする課題】
しかしこのようにアンテナ部１と回路部２を一体構造にしたものでは、回路部２がアンテナ部１の上面から突出する凸形状になるために、外皮４ａ，４ｂで覆った高周波治療器Ａにあっても回路部２の凸形状がそのまま表れている。従ってこの高周波治療器Ａを人体の患部に外皮４ｂ側で装着して使用している時に、回路部２の凸形状部分が下着等の衣服に擦れて、高周波治療器Ａが人体から外れるおそれがあり、また高周波治療器Ａを腰や背中等に装着している時に、椅子等に座って背中をもたれさせると、回路部２の凸形状部分が押圧されてストレスが加わり、回路部２が破壊されるおそれがあるという問題があった。
【０００４】
また、アンテナ部１と回路部２を覆う上下の外皮４ａ，４ｂはアンテナ部１や回路部２に接着されているので、高周波治療器Ａを折り曲げる力が作用したときに突っ張ってスムーズに屈曲せず、高周波治療器Ａを人体の動きなどに追随させて屈曲させることができないという問題もあった。
さらに、高周波治療器Ａを腰こりの治療に用いようとしても、腰こりの治療部位に適した形状でなく、腰こりの十分な治療効果を得ることができないという問題があり、また腰こりの治療部位に正確に装着することが難しいという問題もあった。
【０００５】
本発明は上記の点に鑑みてなされたものであり、回路部の凸形状によって装着が外れたり回路部が破壊されたりすることを防止することができるようにすることを目的とするものであり、また、スムーズに屈曲させることができ、腰こりの治療効果を高く得ることができ、さらに腰こりの治療部位に正確に装着することができるようにすることを目的とするものである。
【０００６】
【課題を解決するための手段】
本発明の請求項１に係る高周波治療器は、高周波を出力するフレキシブル状のアンテナ部１に高周波の出力制御をする回路部２を凸状に設け、アンテナ部１と凸状の回路部２とを覆うように可撓性を有する材質で形成した内部体３を重ね、これらのアンテナ部１と回路部２と内部体３を、可撓性を有する材料で形成した外皮４ａ，４ｂで被覆して一体化して成ることを特徴とするものである。
【０００７】
また請求項２の発明は、内部体３を少なくともその一部を他の部材に対して固定されないフリーな状態に形成して成ることを特徴とするものである。
また請求項３の発明は、内部体３に空洞部５を設けて成ることを特徴とするものである。
また請求項４の発明は、内部体３の少なくとも一部を筋状のリブ６で形成して成ることを特徴とするものである。
【０００８】
また請求項５の発明は、腰こりの治療部位である第２腰椎から第４腰椎の脊柱起立筋の細帯に合わせた細帯状に全体形状を形成して成ることを特徴とするものである。
また請求項６の発明は、くびれ部７を設けた外形に形成して成ることを特徴とするものである。
【０００９】
また請求項７の発明は、背骨に対して左右対称に分布する脊柱起立筋の間隔に合わせて一対のアンテナ部１，１を設けて成ることを特徴とするものである。
また請求項８の発明は、一対のアンテナ部１，１間の中央位置において外面に、背骨位置合わせ用の突部８を設けて成ることを特徴とするものである。
本発明の請求項９に係る高周波治療具は、背骨に対して左右対称に分布する脊柱起立筋の間隔に合わせて位置付けされた一対の収納部９を腰用装着ベルト１０に設け、上記請求項５の高周波治療器Ａを各収納部９に収納して成ることを特徴とするものである。
【００１０】
本発明の請求項１０に係る高周波治療具は、背骨に対して左右対称に分布する脊柱起立筋の間隔に合わせて一対の挿着部１１，１１を装着補助具１２に設け、請求項５の高周波治療器Ａを各挿着部１１に抜き出し自在に挿着して成ることを特徴とするものである。
また請求項１１の発明は、一対の挿着部１１間の中央位置において装着補助具１２の外面に、背骨位置合わせ用の突部１３を設けて成ることを特徴とするものである。
【００１１】
本発明の請求項１２に係る高周波治療具は、請求項５の一対の高周波治療器Ａ，Ａを、背骨に対して左右対称に分布する脊柱起立筋の間隔に合わせて連結具１４で連結して成ることを特徴とするものである。
また請求項１３の発明は、連結具１４を高周波治療器Ａに着脱自在にして成ることを特徴とするものである。
【００１２】
また請求項１４の発明は、連結具１４を伸縮自在に形成して成ることを特徴とするものである。
【００１３】
【発明の実施の形態】
以下、本発明の実施の形態を説明する。
図１及び図２は請求項１の発明の実施形態の一例を示すものである。アンテナ部１はフレキシブルプリント配線板１ａにコイルパターン１ｂ（後述の図１０参照）などを設けることによって、フレキシブルな薄い形態に形成されるものであり、このアンテナ部１の上面の中央部に回路部２が設けてある。回路部２は電子部品２ａや電池２ｂ（後述の図１０参照）などを設けてアンテナ部１に高周波の出力制御をするものとして形成されるものであり、アンテナ部１の上面に凸形状となるように突出させて設けてある。また内部体３はゴムや軟質合成樹脂、軟質発泡樹脂等の柔軟と弾性を有する可撓性材料で作製してあり、上面を略ドーム状の凸曲面に形成すると共に下面の中央部に凹部２１が形成してある。
【００１４】
そして、凹部２１に凸形状の回路部２を納めるようにしてアンテナ部１及び回路部２の上に内部体３を重ねて覆い、これらの上下に軟質樹脂シートなど可撓性を有する材料で形成した上外皮４ａと下外皮４ｂを重ねると共に上外皮４ａと下外皮４ｂの周縁部を接合することによって、アンテナ部１と回路部２を外皮４ａ，４ｂで被覆した高周波治療器Ａを作製することができるものである。
【００１５】
上記のように形成される高周波治療器Ａは、下外皮４ａの側で人体の患部に貼り付ける等して装着することによって使用されるものであり、アンテナ部１から出力される高周波によって高周波治療を行なうことができるものである。そしてこの高周波治療器Ａでは、アンテナ部１と凸形状の回路部２とを覆うように可撓性を有する内部体３が重ねてあるので、回路部２の凸形状が高周波治療器Ａの外面に表れなくなる。従って、高周波治療器Ａを人体に装着して使用している時に、凸形状の回路部２が下着等の衣服に擦れるようなことがなくなり、高周波治療器Ａが人体から外れるようなことを防ぐことができるものである。この場合、図１のように回路部２の全体を内部体３で完全に覆うようにする他に、内部体３の高さ（厚み）を回路部２の高さ（厚み）程度に合わせて形成し、図２のように回路部２の側面だけを内部体３で覆うようにしてもよい。また、高周波治療器Ａを腰や背中等に装着している場合に、椅子等に背中をもたれて、高周波治療器Ａに図１のＦのように押圧力が作用しても、可撓性を有する内部体３が回路部２を保護するクッションの働きをし、回路部２が破壊されることを防ぐことができるものであり、さらに内部体３で高周波治療器Ａの強度をアップさせることができるものである。
【００１６】
図３は請求項２の発明の実施の形態の一例を示すものであり、上記のように形成される高周波治療器Ａにあって、外皮４ａ，４ｂに対してアンテナ部１は接合してあっても、内部体３は外皮４ａ，４ｂやアンテナ部１に対して接合固定せず、フリーな状態になるようにしてある。このように内部体３をフリーな状態にすることによって、高周波治療器Ａに折り曲げ力が作用して外皮４ａ，４ｂが図３（ｂ）のａ矢印のように屈曲する際に、内部体３は突っ張ったりするこなくこの屈曲に追随してｂ矢印のように自由に伸縮することができ、高周波治療器Ａの全体をスムーズに屈曲させることができるものである。内部体３は全体を完全にフリーな状態にしてもよいが、また内部体３の一つの面あるいは一つの点を外皮４ａ，４ｂやアンテナ部１に固定し、この固定部分を基準に内部体３が屈曲されるようにして高周波治療器Ａの全体をスムーズに屈曲させることができるようにしてもよい。
【００１７】
図４は請求項３の発明の実施の形態の一例を示すものであり、内部体３には中央部の凹部２１の他に、その両側位置において下面で開口する空洞部５が設けてある。このように内部体３に空洞部５を設けることによって、内部体３の重量を軽くして高周波治療器Ａを軽量化することができ、高周波治療器Ａを人体に装着しているときの違和感を少なくすることができるものであり、また図３（ｂ）のような屈曲に対して内部体３の追随が一層容易になって、高周波治療器Ａの屈曲が一層スムーズになるものである。
【００１８】
図５は請求項４の発明の実施の形態の一例を示すものであり、内部体３の少なくとも一部を筋状のリブ６で形成するようにしてある。図の例では、内部体３に設けた空洞部５内に筋状リブ６を形成するようにしてあり、この筋状リブ６は内部体３の上下方向（厚み方向）と平行な片として形成してある。このように内部体３を筋状リブ６で形成することによって、内部体３を軽量化することができると共に内部体３を屈曲させ易くなって図３（ｂ）のような屈曲に対して内部体３の追随が容易になり、しかも図５（ａ）のＦ矢印のような力が内部体３に作用してもこの力を筋状リブ６で保持することができ、内部体３の形が崩れ難くなって高周波治療器Ａの外形が崩れることを防止することができるものである。筋状のリブ６の形状は図５（ｂ）に示すように、直線状のものであっても円形状のものであってもよく、筋状リブ６の形状は特に限定されない。また図６に示すように、リブ６を縦・横に交差させるようにして形成してもよい。
【００１９】
上記の高周波治療器Ａを腰こりの治療に使用する場合、腰こりの原因となる第２腰椎から第４腰椎の脊柱起立筋に位置させて高周波治療器Ａを装着することが重要である。図７は背骨（脊柱）２２の一部を示す図であり、背骨２２は頸椎、胸椎、腰椎２３、仙椎２４等からなる。そして第２腰椎２３ａから第４腰椎２３ｂの間に縦Ｔ＝約１０〜１３ｃｍ、幅Ｈ＝約３〜５ｃｍで細帯状に分布する脊柱起立筋２５に合わせて、高周波治療器Ａの外形の形状や寸法を形成することによって、脊柱起立筋２５の部位に合わせて高周波治療器Ａを装着することができ、腰こりの治療を効果的に行なうことができるものである。そこで請求項５の発明では、第２腰椎２３ａから第４腰椎２３ｂの脊柱起立筋２５の細帯に合わせた細帯状（矩形状）に高周波治療器Ａの全体形状を形成するようにしてあり、縦の寸法を約１０〜１３ｃｍ、幅の寸法を約３〜５ｃｍの大きさに形成してある。従って、高周波治療器Ａをそのまま脊柱起立筋２５に合わせて装着することができ、高周波治療器Ａによる効果的な腰こりの治療が行なえるものである。
【００２０】
また、脊柱起立筋２５は腰のくびれ部に位置しており、従って腰こりの治療部位は図８に示すように腰のくびれ２６となり、腰こりを治療するには高周波治療器Ａをこの腰のくびれ２６に装着する必要があり、縦長状態で使用する細帯状の高周波治療器Ａを図８（ｂ）のように腰のくびれ２６にフィットさせて装着するには、高周波治療器Ａを長手方向に屈曲させる必要がある。そこで請求項６の発明は、図９に示すように、高周波治療器Ａをその両側の長手辺にくびれ部７を設けた外形に形成し、このくびれ部７によって高周波治療器Ａの長手方向でのフレキシビリティを高め、腰のくびれ２６に沿ってフィットさせて高周波治療器Ａを装着することができるようにしてある。またこのようにくびれ部７を設けてフレキシビリティを高めることによって、腰の屈伸の動きに高周波治療器Ａを容易に追従させることができるものである。くびれ部７は、図９（ａ）のように高周波治療器Ａの両側の長手辺にそれぞれ一箇所ずつ設ける他に、図９（ｂ）のように複数箇所ずつ設けるようにしてもよい。また図９（ｃ）や図１０に示すように、高周波治療器Ａの両側の長手辺に緩やかなカーブを設け、その中央部の幅が狭くなるようにしてくびれ部７を形成するようにしてもよい。
【００２１】
ここで、脊柱起立筋２５は背骨２２を中心にしてその両側の対称位置に存在しており（図７では一方の脊柱起立筋２５の図示を省略している）、腰こりの治療には図８（ａ）に示すように、背骨２２を挟んだ両側の位置においてそれぞれ脊柱起立筋２５の位置に高周波治療器Ａを装着する必要がある。しかし、実際には、背中において背骨２２の両側に対称に存在する脊柱起立筋２５の位置に一対の高周波治療器Ａをそれぞれ正確に装着することは難しい。そこで請求項９の発明では、背骨２２に対して左右対称に分布する脊柱起立筋２５の間隔（Ｗ＝約７〜１０ｃｍ）に合わせて位置付けされた一対の収納部９，９を設けた腰用装着ベルト１０を用いるようにしている。図１１は請求項９の発明の実施形態の一例を示すものであり、腰用装着ベルト１０の長手方向の中央部の幅広部１０ａの内側面に上端が開口するポケット状の収納部９，９を一対設け、腰用装着ベルト１０の両端部には、この両端部同士を結合するための結合具（図示省略）が設けてある。収納部９，９は、その幅方向の中央の間隔が脊柱起立筋２５の間隔（Ｗ＝約７〜１０ｃｍ）と同じになるように配置してある。
【００２２】
そしてこの各収納部９，９に上記の細帯状に形成した高周波治療器Ａを縦長方向で差し込んで収納し、高周波治療器Ａを人体の側にして腰用装着ベルト１０を腰の回りに装着することによって、腰用装着ベルト１０の収納部９，９に収納した高周波治療器Ａ，Ａを腰の治療部位にあてがうことができるものである。しかもこの収納部９，９に収納した高周波治療器Ａ，Ａは脊柱起立筋２５の間隔Ｗと同じ間隔で配置されているので、背骨２２の両側に対称に存在する脊柱起立筋２５の正確な位置に合わせて、一対の高周波治療器Ａをそれぞれ装着することが容易になるものであり、腰こりの治療を効果的に行なうことができるものである。
【００２３】
図１２は請求項１０の発明の実施形態の一例を示すものであり、背骨２２に対して左右対称に分布する脊柱起立筋２５の間隔に合わせて一対の挿着部１１，１１を設けた装着補助具１２を用いるようにしてある。装着補助具１２は矩形の板状に形成してあり、一対の挿着部１１，１１は装着補助具１２の上端面で開口する有底凹部として形成してある。この挿着部１１，１１は、その幅方向の中央の間隔が脊柱起立筋２５の間隔（Ｗ＝約７〜１０ｃｍ）と同じになるように配置してある。そしてこの各挿着部１１，１１に細帯状に形成した高周波治療器Ａ，Ａを縦長方向で差し込んで挿着するようにしてある。高周波治療器Ａは一方の端部が挿着部１１から装着補助具１２の上方に突出するようになっており、高周波治療器Ａのこの突出する端部において、その人体側を向く面（下面）に粘着テープ２８が貼ってある。
【００２４】
この装着補助具１２を用いて高周波治療器Ａを腰の治療部位に装着するにあたっては、挿着部１１，１１に高周波治療器Ａ，Ａを挿着した状態で腰の治療部位に持っていき、高周波治療器Ａ，Ａの挿着部１１，１１から装着補助具１２の上方へ突出する上端部を押さえ付けて、粘着テープ２８で各高周波治療器Ａ，Ａの端部を腰の治療部位に貼り付ける。次に装着補助具１２を図１３（ａ）の矢印ように下方へ引くと、挿着部１１，１１から高周波治療器Ａ，Ａが抜け出て、この高周波治療器Ａ，Ａを図１３（ｂ）のように腰の治療部位に装着することができるものである。ここで装着補助具１２の装着部１１，１１に装着した高周波治療器Ａ，Ａは脊柱起立筋２５の間隔と同じ間隔Ｗで配置されているので、背骨２２の両側に対称に存在する脊柱起立筋２５の正確な位置に合わせて、一対の高周波治療器Ａをそれぞれ装着することが容易になるものであり、腰こりの治療を効果的に行なうことができるものである。そしてこのものでは、一対の高周波治療器Ａを正確な間隔で治療部位に装着するにあたって、上記のような腰用装着ベルト１０を腰に巻く必要がないので、腰用装着ベルト１０の違和感なく高周波治療器Ａで治療を行なうことができるものである。
【００２５】
図１４は請求項１１の発明の実施形態の一例を示すものであり、装着補助具１２の内側の外面に、一対の挿着部１１，１１間の中央位置において突部１３が設けてある。人体の腰の付近の背中は、背骨２２に対応する部分が凹み３０となっている。従って、突部１３を背骨２２の箇所の凹み３０に合わせることによって、挿着部１１，１１に挿着した高周波治療器Ａ，Ａを、背骨２２の両側の対称位置に存在する脊柱起立筋２５に正確に位置合わせして装着することができるものであり、腰の患部の治療効果が一層向上するものである。
【００２６】
図１５は請求項１２の発明の実施形態の一例を示すものであり、細帯状に形成した高周波治療器Ａ，Ａを縦長方向にして一対配置し、両高周波治療器Ａ，Ａを連結具１４で連結するようにしてある。一対の高周波治療器Ａ，Ａは図１５（ａ）に示すように、背骨２２に対して左右対称に分布する脊柱起立筋２５の間隔（Ｗ＝約７〜１０ｃｍ）と同じになるように連結具１４で連結するようにしてある。従ってこのものでは、背骨２２の両側に対称に存在する脊柱起立筋２５の正確な位置に合わせて、図１５（ｂ）のように一対の高周波治療器Ａをそれぞれ腰の治療部位に装着することが容易になるものであり、腰こりの治療を効果的に行なうことができるものである。
【００２７】
請求項１３の発明では、連結具１４を高周波治療器Ａ，Ａに着脱自在にしてあり、高周波治療器Ａ，Ａを腰の治療部位に装着した後、連結具１４を高周波治療器Ａ，Ａから外すことによって、連結具１４による違和感なく高周波治療を行なうことができるものある。連結具１４を高周波治療器Ａに着脱自在にするにあたっては、連結具１４と高周波治療器Ａの一方に嵌合用突部を、他方に嵌合用凹部を設け、凹凸嵌合によって着脱自在にしたり、あるいはいわゆるマジックファスナの雄テープと雌テープを連結具１４と高周波治療器Ａの一方と他方に貼着し、雄テープと雌テープを係着させることによって着脱自在にしたり、任意の手段を採用することができる。
【００２８】
また、請求項１４の発明では、連結具１４をゴム等の弾性材料で伸縮自在に形成するようにしてある。このように連結具１４を伸縮自在に形成することによって、腰の屈伸等の動きに連結具１４を追従させることができ、連結具１４を高周波治療器Ａに連結させたままであっても連結具１１による突っ張りがなくなり、連結具１４による違和感なく高周波治療を行なうことができるものある。
【００２９】
図１６は請求項７の発明の実施形態の一例を示すものであり、一対のアンテナ部１，１を平行に配置し、この一対のアンテナ部１，１の上面間に跨がるように回路部２が設けてあり、このような一対のアンテナ部１，１を用いる他は、既述のものと同様にして高周波治療器Ａを作製するようにしてある。アンテナ部１は第２腰椎２３ａから第４腰椎２３ｂの脊柱起立筋２５の細帯に合わせた細帯状（矩形状）に形成してあり、一対のアンテナ部１，１は背骨２２に対して左右対称に分布する脊柱起立筋２５の間隔（Ｗ＝７〜１０ｃｍ）に合わせた間隔で配置してある。
【００３０】
このように一対のアンテナ部１，１を設けて作製した高周波治療器Ａにあって、アンテナ部１，１は脊柱起立筋２５の間隔Ｗと同じ間隔で配置されているので、背骨２２の両側に対称に存在する脊柱起立筋２５の正確な位置に合わせて一対のアンテナ部１，１が位置するよう、図１７に示すように高周波治療器Ａを腰の治療部位に装着することが容易になるものであり、腰こりの治療を効果的に行なうことができるものである。
【００３１】
図１８は請求項８の発明の実施形態の一例を示すものであり、上記のような一対のアンテナ部１，１を設けて形成した高周波治療器Ａの下外皮４ｂの外面に、一対のアンテナ部１，１間の中央位置において突部８が設けてある。従って、突部８を背骨２２の箇所の凹み３０に合わせることによって、一対のアンテナ部１，１を背骨２２の両側対称位置に存在する脊柱起立筋２５に正確に位置合わせして、高周波治療器Ａを腰の治療部位に装着することができるものであり、腰の患部の治療効果が一層向上するものである。
【００３２】
【発明の効果】
上記のように本発明の請求項１に係る高周波治療器は、高周波を出力するフレキシブル状のアンテナ部に高周波の出力制御をする回路部を凸状に設け、アンテナ部と凸状の回路部とを覆うように可撓性を有する材質で形成した内部体を重ね、これらのアンテナ部と回路部と内部体を、可撓性を有する材料で形成した外皮で被覆して一体化するようにしたので、内部体によって回路部の凸形状が高周波治療器の外面に表れないようにすることができ、凸状の回路部が下着等の衣服に擦れるようなことがなくなって、高周波治療器が人体から外れるようなことを防ぐことができるものであり、しかも、高周波治療器を腰や背中等に装着している場合に、椅子等に背中をもたれて、高周波治療器に押圧力が作用しても、内部体が回路部を保護するクッションの働きをし、外皮が可撓性を有する材料で形成したものであっても回路部が破壊されることを防ぐことができるものである。
【００３３】
また請求項２の発明は、内部体を少なくともその一部を他の部材に対して固定されないフリーな状態に形成したので、高周波治療器に折り曲げ力が作用して外皮が屈曲する際に、フリーな状態の内部体は突っ張ったりすることなくこの屈曲に追随して自由に伸縮することができるものであり、高周波治療器の全体をスムーズに屈曲させることができるものである。
【００３４】
また請求項３の発明は、内部体に空洞部を設けたので、内部体の重量を軽くして高周波治療器を軽量化することができると共に、内部体の屈曲が容易になって高周波治療器を一層スムーズに屈曲させることができるものである。
また請求項４の発明は、内部体の少なくとも一部を筋状のリブで形成したので、内部体を屈曲させ易くなると共に、高周波治療器に作用する力を筋状リブで保持して高周波治療器の外形が崩れることを防止することができるものである。
【００３５】
また請求項５の発明は、腰こりの治療部位である第２腰椎から第４腰椎の脊柱起立筋の細帯に合わせた細帯状に全体形状を形成するようにしたので、高周波治療器を脊柱起立筋に合わせて装着することができ、高周波治療器による効果的な腰こりの治療を行なうことができるものである。
また請求項６の発明は、くびれ部を設けた外形に形成するようにしたので、このくびれ部によって高周波治療器の長手方向でのフレキシビリティを高めることができ、腰のくびれに沿ってフィットさせて高周波治療器を装着することができるものである。
【００３６】
また請求項７の発明は、背骨に対して左右対称に分布する脊柱起立筋の間隔に合わせて一対のアンテナ部を設けるようにしたので、背骨の両側に対称に存在する脊柱起立筋の正確な位置に合わせて一対のアンテナ部が位置するよう、高周波治療器を腰の治療部位に装着することが容易になるものであり、腰こりの治療を効果的に行なうことができるものである。
【００３７】
また請求項８の発明は、一対のアンテナ部間の中央位置において外面に、背骨位置合わせ用の突部を設けるようにしたので、突部を背骨の箇所に合わせることによって、一対のアンテナ部を背骨の両側対称位置に存在する脊柱起立筋に正確に位置合わせして、高周波治療器を腰の治療部位に装着することができるものであり、腰の患部の治療効果が一層向上するものである。
【００３８】
本発明の請求項９に係る高周波治療具は、背骨に対して左右対称に分布する脊柱起立筋の間隔に合わせて位置付けされた一対の収納部を腰用装着ベルトに設け、上記の高周波治療器を各収納部に収納するようにしたので、収納部に収納した一対の高周波治療器を背骨の両側に対称に存在する脊柱起立筋の正確な位置にそれぞれ合わせて装着することが容易になるものであり、腰こりの治療を効果的に行なうことができるものである。
【００３９】
本発明の請求項１０に係る高周波治療具は、背骨に対して左右対称に分布する脊柱起立筋の間隔に合わせて一対の挿着部を装着補助具に設け、上記の高周波治療器を各挿着部に抜き出し自在に挿着するようにしたので、背骨の両側に対称に存在する脊柱起立筋の正確な位置に合わせて一対の高周波治療器をそれぞれ装着した後、挿着部から高周波治療器を抜くことができ、高周波治療器のみを腰の治療部位に装着した状態で、違和感なく高周波治療を行なうことができるものである。
【００４０】
また請求項１１の発明は、一対の挿着部間の中央位置において装着補助具の外面に、背骨位置合わせ用の突部を設けるようにしたので、突部を背骨の箇所に合わせることによって、挿着部に挿着した高周波治療器を背骨の両側の対称位置に存在する脊柱起立筋に正確に位置合わせして装着することができるものであり、腰の患部の治療効果が一層向上するものである。
【００４１】
本発明の請求項１２に係る高周波治療具は、上記の一対の高周波治療器を、背骨に対して左右対称に分布する脊柱起立筋の間隔に合わせて連結具で連結するようにしたので、背骨の両側に対称に存在する脊柱起立筋の正確な位置に合わせて、一対の高周波治療器をそれぞれ腰の治療部位に装着することが容易になるものであり、腰こりの治療を効果的に行なうことができるものである。
【００４２】
また請求項１３の発明は、連結具を高周波治療器に着脱自在にしたので、高周波治療器を腰の治療部位に装着した後、連結具を高周波治療器から外すことによって、連結具による違和感なく高周波治療を行なうことができるものである。
また請求項１４の発明は、連結具を伸縮自在に形成したので、腰の屈伸等の動きに連結具を追従させることができ、連結具による違和感なく高周波治療を行なうことができるものある。
【図面の簡単な説明】
【図１】請求項１の発明の実施の形態の一例を示すものであり、（ａ）は平面図、（ｂ）は（ａ）のイ−イ線断面図である。
【図２】請求項１の発明の実施の形態の他例を示すものであり、（ａ）は平面図、（ｂ）は（ａ）のイ−イ線断面図である。
【図３】請求項２の実施の形態の一例を示すものであり、（ａ），（ｂ）はそれぞれ断面図である。
【図４】請求項３の発明の実施の形態の一例を示すものであり、（ａ）は（ｂ）のイ−イ線断面図、（ｂ）は内部体の底面図である。
【図５】請求項４の発明の実施の形態の一例を示すものであり、（ａ）は（ｂ）のイ−イ線断面図、（ｂ）は内部体の底面図である。
【図６】請求項４の発明の実施の形態の他例を示す内部体の底面図である。
【図７】請求項５の発明の実施の形態の一例における、人体の背骨部分の図である。
【図８】請求項６の発明の実施の形態の一例における高周波治療器の装着状態を示すものであり、（ａ）は人体の背中の図、（ｂ）は人体を横から見た図である。
【図９】請求項６の発明の実施の形態を示すものであり、（ａ），（ｂ），（ｃ）はそれぞれ正面図である。
【図１０】請求項６の発明の実施の形態の他例を示すものであり、（ａ）は下外皮を外した状態の底面図，（ｂ）は（ａ）のイ−イ線断面図である。
【図１１】請求項９の発明の実施の形態の一例を示す正面図である。
【図１２】請求項１０の発明の実施の形態の一例を示すものであり、（ａ）は正面図、（ｂ）は平面図である。
【図１３】請求項１０の発明の実施の形態の一例における使用状態を示すものであり、（ａ），（ｂ）はそれぞれ人体の背中の図である。
【図１４】請求項１１の発明の実施の形態の一例における使用状態を示す図である。
【図１５】請求項１２の発明の実施の形態の一例を示すものであり、（ａ）は正面図、（ｂ）は使用状態を示す図である。
【図１６】請求項７の発明の実施の形態の一例を示すものであり、（ａ）は平面図、（ｂ）は（ａ）のイ−イ線断面図である。
【図１７】請求項７の発明の実施の形態の一例における使用状態を示す図である。
【図１８】請求項８の実施の形態の一例における使用状態を示す図である。
【図１９】従来例を示すものであり、（ａ）は平面図、（ｂ）は（ａ）のイ−イ線断面図である。
【符号の説明】
１  アンテナ部
２  回路部
３  内部体
４ａ，４ｂ  外皮
５  空洞部
６  筋状リブ
７  くびれ部
８  背骨位置合わせ用突部
９  収納部
１０  腰用装着ベルト
１１  挿着部
１２  装着補助具
１３  背骨位置合わせ用突部
１４  連結具
【図１】
0003674192.tif 000002
【図２】
0003674192.tif 000003
【図３】
0003674192.tif 000004
【図４】
0003674192.tif 000005
【図５】
0003674192.tif 000006
【図６】
0003674192.tif 000007
【図７】
0003674192.tif 000008
【図８】
0003674192.tif 000009
【図９】
0003674192.tif 000010
【図１０】
0003674192.tif 000011
【図１１】
0003674192.tif 000012
【図１２】
0003674192.tif 000013
【図１３】
0003674192.tif 000014
【図１４】
0003674192.tif 000015
【図１５】
0003674192.tif 000016
【図１６】
0003674192.tif 000017
【図１７】
0003674192.tif 000018
【図１８】
0003674192.tif 000019
【図１９】
0003674192.tif 000020